(57)【特許請求の範囲】
【請求項１】
複数の入力信号系列と、複数の出力信号系列とを有し、前記複数の入力信号系列をミキシングして複数のグループとし、前記複数の出力信号系列に出力する信号処理部を備えるディジタル・ミキサーであって、
前記信号処理部は、
幾つかの入力信号系列にそれぞれ設定されているパラメータを連動させて設定させるか、独立して設定させるかを設定する連動設定手段と、
該連動設定手段により、複数の入力信号系列に設定されているパラメータを連動させると設定された際に、連動させるよう設定された各入力信号系列に設定されているパラメータ値の関係を保持して連動制御する第１連動制御手段と、
前記連動設定手段により、複数の入力信号系列に設定されているパラメータを連動させると設定された際に、連動させるよう設定された各入力信号系列に設定されているパラメータ値を同値として連動制御する第２連動制御手段と、
前記第１連動制御手段による連動制御と、前記第２連動制御手段による連動制御のうちの、いずれか一方の連動制御を選択するか、あるいは共に選択しないかを選択可能な選択手段と、
を少なくとも備えることを特徴とするディジタル・ミキサー。
【発明の詳細な説明】
【０００１】
【発明が属する技術分野】
本発明は、複数の入力信号系列と、複数の出力信号系列とを有し、前記複数の入力信号系列をミキシングし、前記複数の出力信号系列に出力する信号処理部を備えるディジタル・ミキサーに関する。
【０００２】
【従来の技術】
従来、多数のマイクロホンあるいは電気・電子楽器などの出力のレベルや周波数特性を調整し、ミキシングしていくつかのグループにまとめてパワーアンプに送り出すミキシング・コンソールが知られている。ミキシング・コンソールを操作するミキサーマンは、各楽器の音量や音色を、ミキシング・コンソールに備えられた各種操作子を操作することにより、演奏を最もふさわしく表現していると思われる状態に調整している。ミキシング・コンソールは、入力信号系列として複数のマイク／ライン入力の入力チャンネルを備え、入力信号系列をプログラムした出力信号系列である複数の出力チャンネルを備えている。入力信号系列における各入力チャンネルの信号は、一般にヘッドアンプにより増幅されて信号処理部に出力される。そして、信号処理部において周波数特性およびレベルが調整されて、プログラムされた組み合わせにおいてミキシングされる。次いで、出力フェーダにより任意の出力レベルになるように設定されて出力チャンネルの１つに出力される。
【０００３】
【発明が解決しようとする課題】
このようなミキシング・コンソールにおいて、奇数チャンネルと偶数チャンネルとでペア設定することができるものが知られている。例えば、入力チャンネルのチャンネル１とチャンネル２とでペアを組み、ステレオ入力用とすることができる。このように、ペアに設定されたチャンネルにおけるヘッドアンプのゲイン等のパラメータ値を調整する場合は、一方のチャンネルのパラメータ値を変化させた際に、他方のチャンネルのパラメータ値も同様に調整しなければならない。しかしながら、２つのチャンネルのパラメータ値はそれぞれ独立している操作子を操作して調整しなければならないため、パラメータ値を同様に変化させるには煩雑な操作が必要になるという問題点があった。さらに、操作子を操作した際に厳密な操作精度を求められないことから、精密な設定精度が得られないという問題点があった。
【０００４】
そこで、本発明は連動させるよう設定されたチャンネルにおけるパラメータを容易に設定することができると共に、精密な設定精度が得られるディジタル・ミキサーを提供することを目的としている。
【０００５】
【課題を解決するための手段】
上記目的を達成するために、本発明のディジタル・ミキサーは、複数の入力信号系列と、複数の出力信号系列とを有し、前記複数の入力信号系列をミキシングして複数のグループとし、前記複数の出力信号系列に出力する信号処理部を備えるディジタル・ミキサーであって、前記信号処理部は、幾つかの入力信号系列にそれぞれ設定されているパラメータを連動させて設定させるか、独立して設定させるかを設定する連動設定手段と、該連動設定手段により、複数の入力信号系列に設定されているパラメータを連動させると設定された際に、連動させるよう設定された各入力信号系列に設定されているパラメータ値の関係を保持して連動制御する第１連動制御手段と、前記連動設定手段により、複数の入力信号系列に設定されているパラメータを連動させると設定された際に、連動させるよう設定された各入力信号系列に設定されているパラメータ値を同値として連動制御する第２連動制御手段と、前記第１連動制御手段による連動制御と、前記第２連動制御手段による連動制御のうちの、いずれか一方の連動制御を選択するか、あるいは共に選択しないかを選択可能な選択手段とを少なくとも備えている。
【０００６】
このような本発明によれば、連動させるよう設定されたチャンネルにおいて、１つのチャンネルのパラメータを操作した際に、他のチャンネルのパラメータが連動して変化するようになる。これにより、１つのチャンネルのパラメータ値を変化させることにより、他の連動すべきチャンネルのパラメータ値が同様に変化するよう連動制御されるようになる。したがって、１つのチャンネルのパラメータ値を変化させるだけで、連動させるよう設定されたチャンネルのパラメータを精密な設定精度を保持して容易に設定することができるようになる。
また、連動制御は、チャンネル間のパラメータ値の差分を保持して連動制御する手段と、チャンネル間のパラメータ値が同値になるよう連動制御する手段とのいずれかの手段を選択することができるので、種々のモードの連動制御を行うことができる。さらに、連動制御する際に入力信号系列に不所望のパラメータ間の差があった場合には、各入力信号系列を独立して設定することができ、レベル等のパラメータをそろえた上で連動制御することができるようになる。
【０００７】
【発明の実施の形態】
本発明のディジタル・ミキサーの実施の形態の概略構成をブロック図で図１に示す。
図１に示すように本発明の実施の形態にかかるディジタル・ミキサーは、入力部１と、処理部２と、出力部３と、コンソール部４とから構成されている。これらの入力部１、処理部２、出力部３、コンソール部４は、それぞれ独立しており、その間はディジタル通信路により接続されている。入力部１は、例えばｉ個の入力端子ＩＮ１，ＩＮ２，ＩＮ３，・・・，ＩＮｉを有しており、入力端子ＩＮ１，ＩＮ２，ＩＮ３，・・・，ＩＮｉから入力された入力信号は、それぞれヘッドアンプＨＡ１，ＨＡ２，ＨＡ３，・・・，ＨＡｉにより所定のレベルになるように増幅される。入力端子ＩＮ１，ＩＮ２，ＩＮ３，・・・，ＩＮｉは、例えばマイク／ライン入力とされており、ヘッドアンプＨＡ１，ＨＡ２，ＨＡ３，・・・，ＨＡｉから出力される入力信号のレベルが、ほぼ規定のレベルになるようにヘッドアンプＨＡ１，ＨＡ２，ＨＡ３，・・・，ＨＡｉのゲインがそれぞれ設定される。ヘッドアンプＨＡ１，ＨＡ２，ＨＡ３，・・・，ＨＡｉの出力は、アナログ−ディジタル変換器（ＡＤＣ）１１によりディジタル信号に変換され、通信インタフェースを介して入力部１から出力される。
【０００８】
入力部１から出力されるディジタル化された複数の入力信号は、ディジタル信号路を介して処理部２に入力される。処理部２では、入力された各チャンネルの入力信号のレベルや周波数特性が各チャンネル毎に調整可能とされており、調整された各チャンネルの信号をミキシングして幾つかのグループにまとめて、通信インタフェースを介して出力している。出力される信号のレベルは調整可能とされており、出力信号はパワーアンプに送られてスピーカから放音される。また、出力信号には、ステージの演奏者に送り返す信号（フォールド・バック：ＦＢ）や検聴のためのキュー信号等がある。さらに、処理部２においてはミキシングされたグループにパンやエコー等のエフェクトを付加するエフェクト機能が内蔵されている。これらの処理は、処理部２におけるＤＳＰ（Digital Signal Processor）においてディジタル処理されることにより実行される。
【０００９】
また、処理部２において隣接する２チャンネルをペアリングすることにより、ステレオ信号とすることができる。ペアリングするチャンネルは隣接する任意の２チャンネルとすることができるが、奇数チャンネルのチャンネル番号が偶数チャンネルのチャンネル番号より若くされる。本発明にかかるディジタル・ミキサーにおいて特徴的な構成は、ペアリングされた際にギャング・モード（ＧＡＮＧ）あるいはリンク・モード（ＬＩＮＫ）が用意されて、いずれかのモードに設定された際に、ペアリングされた２チャンネルにおける各パラメータを連動させて変化させることができる構成である。なお、ギャング・モードは、ペアリングされた時点における各チャンネル間のパラメータ値の差を保持して、連動させて変化させるモードである。また、リンク・モードは各チャンネルのパラメータ値を同値として、連動させて変化させるモードである。さらに、ペアリングされた際に、ギャング・モードおよびリンク・モードをオフするとペアリングされたチャンネルにおいて、チャンネル毎に独立してパラメータを設定することができる。
【００１０】
２チャンネルをペアリングしてギャング・モードに設定した場合は、ペアリングされたいずれかのチャンネルのレベル等のパラメータ値を変化させると、残るチャンネルのレベル等のパラメータ値が、各チャンネル間のパラメータ値の差を保持したまま連動して変化するようになる。これにより、煩雑な設定作業を行うことなく簡易にステレオ等のペアリングされた２チャンネルのパラメータを、その差を保持したまま変化させることができる。また、２チャンネルをペアリングしてリンク・モードに設定した場合は、ペアリングされたいずれかのチャンネルのレベル等のパラメータ値を変化させると、残るチャンネルのレベル等のパラメータ値が同値とされるように連動して変化するようになる。これにより、煩雑な設定作業を行うことなく簡易にステレオ等のペアリングされた２チャンネルのパラメータを、同値として変化させることができる。
【００１１】
なお、マイクロホン等においては個々の感度のバラツキやマイクロホンのセッティングの状況などにより、ペアリングされたチャンネル間において入力レベルの微妙なレベル差が生じる場合がある。このような場合には、ギャング・モードおよびリンク・モードを共にオフする。すると、ペアリングされたチャンネルにおける入力レベルをチャンネル毎に独立して調整することが可能となり、チャンネル間の微妙なレベル差を吸収補正することができる。その後、ギャング・モードとすれば以降はペアリングされたチャンネル間でレベル差が生じることなくレベル等を連動させて変更することができるようになる。
【００１２】
処理部２から出力されるミキシングされたグループの信号は、通信インタフェースを介して、出力部３に出力されている。出力部３において、これらのグループの信号はディジタル−アナログ変換器（ＤＡＣ）３１によりアナログ信号に変換されてそれぞれ出力端子ＯＵＴ１，ＯＵＴ２，・・・，ＯＵＴｊから出力される。出力端子ＯＵＴ１，ＯＵＴ２，・・・，ＯＵＴｊから出力される信号は、パワーアンプに送られてスピーカから放音されたり、ステージの演奏者に送り返えされてモニタ・スピーカから放音される。
【００１３】
入力部１、処理部２、出力部３の制御は、全てコンソール部４により行われており、コンソール部３には多数の操作子や操作状況を表示する表示部が備えられている。コンソール部３はディジタル通信路を介して入力部１、処理部２、出力部３と接続されている。ただし、図１に示すコンソール部４においては入力部１を操作する操作手段と、処理部２を操作する操作手段の一部だけがブロックで示されている。コンソール部４において、ゲイン設定操作子４２を操作すると、その操作量に応じた制御信号がゲイン制御部４１から出力され入力部１に供給される。入力部１においては、操作されたゲイン設定操作子４２に対応するヘッドアンプのゲインが供給された制御信号により制御される。これにより、各ヘッドアンプＨＡ１，ＨＡ２，ＨＡ３，・・・，ＨＡｉのゲインをコンソール部４のゲイン操作子（群）４２を操作することにより任意に制御することができる。
【００１４】
コンソール部４は、ペアリングするチャンネルを設定するｃｈペア設定操作子４４と、ゲイン設定モード選択操作子４３とが設けられている。ｃｈペア設定操作子４４は、各チャンネル毎に設けられており、ｃｈペア設定操作子４４を操作することにより、隣接するチャンネルとの間でペアリングされるようになる。また、ゲイン設定モード選択操作子４３は、前述したギャング・モードあるいはリンク・モードに設定するための操作子であり、ギャング・モード設定操作子とリンク・モード設定操作子とを備えている。このゲイン設定モード選択操作子４３は、奇数チャンネルと偶数チャンネルとの間に設けられており、操作された操作子に対応するゲイン設定モードに両側の隣接するチャンネルが設定されるようになる。
【００１５】
例えば、ギャング・モード設定操作子をオンとすると、その操作子を挟んでいる奇数チャンネルと偶数チャンネルとがギャング・モードのゲイン設定モードに設定される。これにより、ペアリングされたいずれかのチャンネルに対応するゲイン設定操作子４２を操作した際に、ペアリングされたチャンネル間のヘッドアンプのゲイン差が保持されたままペアリングされた両チャンネルのヘッドアンプのゲインが変更されるようになる。また、リンク・モード設定操作子をオンとすると、その操作子を挟んでいる奇数チャンネルと偶数チャンネルとがリンク・モードのゲイン設定モードに設定される。これにより、ペアリングされた両チャンネルのヘッドアンプのゲインが同値とされ、ペアリングされたいずれかのチャンネルに対応するゲイン設定操作子４２を操作した際に、ペアリングされた両チャンネルが同値になるように両チャンネルののヘッドアンプのゲインが変更されるようになる。
なお、ギャング・モード設定操作子およびリンク・モード設定操作子を共にオフした場合は、ペアリングされたいずれかのチャンネルに対応するゲイン設定操作子４２を操作した際に、対応するチャンネルのゲインだけが変更されるようになる。
【００１６】
次に、図１に示す本発明にかかるディジタル・ミキサーのハードウェア構成を図２に示す。
図２に示すように、入力部１はアナログ・インプット・ユニットとして構成されており、入力端子ＩＮ１，ＩＮ２，ＩＮ３，・・・ＩＮｉと同数のヘッドアンプとＡＤＣとを内蔵している。出力部３はアナログ・アウトプット・ユニットとして構成されており、出力端子ＯＵＴ１，ＯＵＴ２，・・・ＯＵＴｊと同数のＤＡＣを内蔵している。
【００１７】
処理部２もユニット化された信号処理部２１により構成されており、この信号処理部２１は、ＤＳＰを内蔵したコンピュータ装置とされている。信号処理部２１において、ＣＰＵ５４は信号処理部２１の全体の動作を制御する中央処理装置（Central Processing Unit：ＣＰＵ）であり、MEMORY SYSTEM５５は、ＣＰＵ５４が実行するパラメータ変更処理、ミキシング処理等のプログラムや、ＣＰＵ５４のワークエリア等が設定されるＲＯＭ（Read Only Memory）やＲＡＭ（Random Access Memory）からなる記憶手段である。DSP SYSTEM５２は、複数のＤＳＰからなり積和演算を高速に処理できるため、ディジタル・オーディオ信号等をリアルタイム処理することができる。MEMORY SYSTEM５３は、DSP SYSTEM５２が実行するマイクロプログラムや、DSP SYSTEM５２のワークエリア等が設定されるＲＯＭ（Read Only Memory）やＲＡＭ（Random Access Memory）からなる記憶手段である。
【００１８】
なお、DSP SYSTEM５２では、ディジタル・オーディオ信号等の周波数特性の制御処理や、レベル変更処理を行っていると共に、残響音や効果音を容易に付加することができる。インタフェース（Ｉ／Ｆ）５１，インタフェース（Ｉ／Ｆ）５６は通信インタフェースであり、入力部１のユニット、出力部３のユニットやコンソール部４のユニット間を接続するディジタル通信路に対するインタフェースとされている。なお、入力部１のユニット、出力部３のユニットも通信インタフェースを備えている。また、バス５７は各ブロック間の情報の受け渡しを行うバスである。
【００１９】
コンソール部４もユニット化されており、コンピュータ装置により構成されている。このコンピュータ装置において、ＣＰＵ６６はコンソール部４の全体の動作を制御する中央処理装置であり、MEMORY SYSTEM６５は、ＣＰＵ６６が実行する操作子処理や表示処理等のプログラムや、ＣＰＵ６６のワークエリア等が設定されるＲＯＭ（Read Only Memory）やＲＡＭ（Random Access Memory）からなる記憶手段である。パネル部６２には、ユーザが操作する多くの操作子からなる操作子群６３と各チャンネルの設定状況等を表示する多くの表示器群６４が備えられている。インタフェース（Ｉ／Ｆ）６１は通信インタフェースであり、処理部２とのユニット間を接続するディジタル通信路に対するインタフェースとされている。また、バス６７は各ブロック間の情報の受け渡しを行うバスである。パネル部６２における操作子群６３のいずれかが操作されると、操作されたことがＣＰＵ６６により検出されて、操作量に対応する制御信号がＣＰＵ６６により生成されるようになる。この制御信号は、Ｉ／Ｆ６１を介して処理部２に送られ、制御信号に基づいて対応するチャンネルのパラメータが制御されるようになる。また、操作に応じた表示が表示器群６４に表示される。
【００２０】
次に、コンソール部４に備えられているパネル部６２における各チャンネルの操作を行う表示器を備える操作子群６３の一例を図３に示す。
図３には、チャンネル１（ＣＨ１），チャンネル２（ＣＨ２），チャンネル３（ＣＨ３），チャンネル４（ＣＨ４）の４チャンネル分のみの操作子群６３が示されている。各チャンネルの操作子には、入力部１におけるヘッドアンプのゲインを設定するロータリ・エンコーダで構成されたゲイン設定操作子７２と、ゲイン設定操作子７２で設定されているゲインが表示されるゲイン表示器７１と、ペアリングすることを選択するｃｈペア設定操作子（ＳＥＬ）７５と、ミキシング・バスに出力するレベルを設定するフェーダ７６とが設けられている。さらに、チャンネル１とチャンネル２との間、および、チャンネル３とチャンネル４との間等の奇数チャンネルと偶数チャンネルとの間には、ギャング・モード設定操作子（ＧＡＮＧ）７３とリンク・モード設定操作子（ＬＩＮＫ）７４とがそれぞれ設けられている。
【００２１】
ここで、チャンネル１とチャンネル２との間に設けられているＧＡＮＧ７３を操作してオンとすると、ＧＡＮＧ７３が点灯すると共に、チャンネル１とチャンネル２とのゲイン設定モードがギャング・モードに設定される。従って、チャンネル１のゲイン設定操作子７２を回転操作すると、その回転操作に応じて設定されたゲインがゲイン表示器７１に表示されると共に、変更された操作量だけチャンネル２のゲイン表示器７１に表示されているゲインが連動して変更され、チャンネル１とチャンネル２との間のゲイン差が保持されたままそれぞれのヘッドアンプのゲインが変更されるようになる。また、チャンネル２のフェーダ７６を上下に操作すると、変更された操作量だけチャンネル１のフェーダ７６が連動して移動して、チャンネル２とチャンネル１との間のレベル差が保持されたままレベルが変更されるようになる。なお、フェーダ７６はモータ駆動とされているので、連動するフェーダ７６は自動的に移動するようになる。
【００２２】
さらに、チャンネル３とチャンネル４との間に設けられているＬＩＮＫ７４を操作してオンとすると、ＬＩＮＫ７４が点灯すると共に、チャンネルＣＨ３とチャンネルＣＨ４とのゲイン設定モードがリンク・モードに設定される。従って、チャンネル３のゲインが表示されているゲイン表示器７１とチャンネル４のゲインが表示されているゲイン表示器７１における表示されているゲインが同値とされ、チャンネル４のフェーダ７６が移動して、チャンネル３のフェーダ７６とチャンネル４のフェーダ７６とが同値となる。ここで、チャンネル３のゲイン設定操作子７２を回転操作すると、その操作に応じて設定されたゲインがゲイン表示器７１に表示されると共に、変更された操作量だけチャンネル４のゲイン表示器７１に表示されているゲインが連動して変更され、チャンネル３とチャンネル４におけるヘッドアンプのゲインは同値になるよう変更されるようになる。さらにまた、チャンネル４のフェーダ７６を上下に操作すると、変更された操作量だけチャンネル３のフェーダ７６が連動して移動し、チャンネル４とチャンネル３のレベルが同値とされたままレベルが変更されるようになる。
【００２３】
次に、コンソール部４において実行されるペアリング設定処理のフローチャートを図４に示す。
図４に示すペアリング設定処理は、各チャンネルに設けられている操作子のいずれかが操作された際に起動される。そして、ステップＳ１にて操作された操作子がｃｈペア設定操作子（ＳＥＬ）７５か否かが判断される。ここで、チャンネルｎにおけるｃｈペア設定操作子（ＳＥＬ  ＳＷｎ）のオンイベントが検出されると、ＹＥＳと判断されてステップＳ２に進む。ステップＳ２においてチャンネルｎのペアフラグ（PAIRFLGn）が“０”か否かが判断される。ここで、PAIRFLGn＝０とされている場合は、ステップＳ３に進んでチャンネルｎのチャンネル番号ｎが奇数が否かが判定される。ここで、チャンネル番号ｎが奇数であった場合は、ステップＳ４に進んでチャンネルｎのペアフラグ（PAIRFLGn）が“１”に設定されると共に、チャンネル番号（ｎ＋１）の偶数とされるチャンネル（ｎ＋１）のペアフラグ（PAIRFLGn+1）が“０”に設定される。これにより、奇数チャンネルｎと偶数チャンネル（ｎ＋１）とがペアリング設定される。ステップＳ４の処理が終了するとペアリング設定処理は終了されてリターンされる。
【００２４】
また、チャンネル番号ｎが偶数であった場合は、ステップ３からステップＳ５に分岐して奇数とされるチャンネル（ｎ−１）のペアフラグ（PAIRFLGn-1）が“０”に設定されると共に、偶数であるチャンネルｎのペアフラグ（PAIRFLGn）が“１”に設定される。これにより、奇数チャンネル（ｎ−１）と偶数チャンネルｎとがペアリング設定される。ステップＳ５の処理が終了するとペアリング設定処理は終了されてリターンされる。このように、ペアリング設定される際のチャンネル番号は、奇数チャンネルのチャンネル番号の方が偶数チャンネルのチャンネル番号より若い番号とされる。
【００２５】
さらに、ステップＳ２にてPAIRFLGn＝１とされている場合は、チャンネルｎにおけるｃｈペア設定操作子（ＳＥＬ  ＳＷｎ）がオフされて、ペアリングを解除する設定が行われたと判断される。この場合は、ステップＳ６に分岐しチャンネルｎのペアフラグ（PAIRFLGn）が“０”に設定され、これにより、チャンネルｎを含むペアリングは解除される。ステップＳ６の処理が終了するとペアリング設定処理は終了されてリターンされる。なお、ｃｈペア設定操作子（ＳＥＬ）７５は上述したように操作する毎にオン／オフが切り換わるようにされている。
さらにまた、ステップＳ１にて操作された操作子がｃｈペア設定操作子（ＳＥＬ）７５でないと判断された場合は、ペアリング設定処理は終了されてそのままリターンされる。
【００２６】
次に、コンソール部４で実行されるゲイン設定モードを選択するＭＯＤＥ選択設定処理のフローチャートを図５に示す。
図５に示すＭＯＤＥ選択設定処理は、各チャンネルに設けられている操作子のいずれかが操作された際に起動される。そして、ステップＳ１０にて操作された操作子がギャング・モード設定操作子（ＧＡＮＧ）７３か否かが判断される。ここで、ペアｍにおけるギャング・モード設定操作子（ＧＡＮＧ  ＳＷｍ）のオンイベントが検出されると、ＹＥＳと判断されてステップＳ１１に進む。ステップＳ１１においてペアｍのギャング・フラグ（GANGFLGm）が“０”か否かが判断される。ここで、GANGFLGm＝０とされている場合は、ステップＳ１２に進んでペアｍのギャング・フラグ（GANGFLGm）が“１”に設定されると共に、ペアｍのリンク・フラグ（LINKFLGm）が“０”に設定される。ステップＳ１２の処理が終了するとＭＯＤＥ選択設定処理は終了されてリターンされる。
【００２７】
ここで、ペアｍについて説明するが、ペアｍは奇数チャンネルｋと偶数チャンネル（ｋ＋１）とのペアとする。すると、ペアｍにおける奇数チャンネルｋのチャンネル番号ｋは、ｋ＝２ｍ−１と表され、偶数チャンネル（ｋ＋１）のチャンネル番号（ｋ＋１）は２ｍと表される。すなわち、ｍ＝（ｋ＋１）／２と表されている。
また、ステップＳ１０にてペアｍにおけるギャング・モード設定操作子（ＧＡＮＧ  ＳＷｍ）のオンイベントが検出されない場合は、ステップＳ１３に分岐する。ステップＳ１３では操作された操作子がリンク・モード設定操作子（ＬＩＮＫ）７４か否かが判断される。ここで、ペアｍにおけるリンク・モード設定操作子（ＬＩＮＫ  ＳＷｍ）のオンイベントが検出されると、ＹＥＳと判断されてステップＳ１４に進む。ステップＳ１４では、リンク・フラグ（LINKFLGm）が“０”か否かが判断される。ここで、LINKFLGm＝０とされている場合は、ステップＳ１５に進んでペアｍのリンク・フラグ（LINKFLGm）が“１”に設定されると共に、ペアｍのギャング・フラグ（GANGFLGm）が“０”に設定される。ステップＳ１５の処理が終了するとＭＯＤＥ選択設定処理は終了されてリターンされる。
【００２８】
さらに、ステップＳ１１にてペアｍのギャング・フラグ（GANGFLGm）が“１”に設定されていると判断された場合、および、ステップＳ１４にてペアｍのリンク・フラグ（LINKFLGm）が“１”に設定されていると判断された場合は、ステップＳ１６に分岐して、ペアｍのギャング・フラグ（GANGFLGm）が“０”に設定されると共に、ペアｍのリンク・フラグ（LINKFLGm）が“０”に設定されて、ギャング・モードおよびリンク・モードはオフされる。ステップＳ１６の処理が終了するとＭＯＤＥ選択設定処理は終了されてリターンされる。このように、ギャング・モード設定操作子（ＧＡＮＧ）７３およびリンク・モード設定操作子（ＬＩＮＫ）７４は、操作する毎にオン／オフが切り換わるようにされている。
さらにまた、ステップＳ１３にて操作された操作子がリンク・モード設定操作子（ＬＩＮＫ）７４でないと判断された場合は、ＭＯＤＥ選択設定処理は終了されてそのままリターンされる。
【００２９】
次に、コンソール部４におけるゲイン設定操作子４２を操作することにより、ゲイン制御部４１から出力される制御信号により、入力部１におけるヘッドアンプのゲインを制御するHead Amp GAIN設定処理のフローチャートを図６ないし図８に示す。
ゲイン設定操作子４２が操作されるとHead Amp GAIN設定処理が起動され、ステップＳ２０にてチャンネル番号ｎが１、すなわちチャンネル１に設定される。以降の処理では、チャンネル番号ｎが奇数の場合と偶数の場合とで異なる処理が行われるので、チャンネル１に設定された際の処理の説明をチャンネル番号ｎが奇数とされている場合として以下に行う。
ステップＳ２１にて奇数チャンネルｎのゲイン設定操作子（ＧＡＩＮｎ）の操作イベントおよび操作量が検出され、この検出結果からステップＳ２２にて奇数チャンネルｎのゲイン設定操作子（ＧＡＩＮｎ）が操作されたか否かが判断される。ここで、奇数チャンネルｎのゲイン設定操作子（ＧＡＩＮｎ）が操作されていると、その操作イベントが検出されることからＹＥＳと判断されてステップＳ２３に進む。
【００３０】
ステップＳ２３では、現在のチャンネル番号が奇数か否かが判断されるが、現在のチャンネルは奇数チャンネルｎとされていることから、ステップＳ２４に進む。ステップＳ２４では、奇数チャンネルｎのペアフラグ（PAIRFLG n）が“１”とされているか、あるいは、奇数チャンネルｎとペアリングされる偶数チャンネル（ｎ＋１）のペアフラグ（PAIRFLG n+1）が“１”とされているかが判定される。ここで、奇数チャンネルｎと偶数チャンネル（ｎ＋１）とがペアリングされていると、奇数チャンネルｎのペアフラグ（PAIRFLG n）あるいは偶数チャンネル（ｎ＋１）のペアフラグ（PAIRFLG n+1）が“１”とされているから、ＹＥＳと判断されてステップＳ２５に進む。奇数チャンネルｎと偶数チャンネル（ｎ＋１）とがペアリングされていると、そのペア番号ｍは前述したように、ｍ＝（ｎ＋１）／２となり、ステップＳ２５にてペアｍのギャング・フラグ（GANGFLG m）が“１”に設定されているか否かが判断される。ここで、ペアｍにおいてゲイン設定モードとしてギャング・モードが設定されていると、ＹＥＳと判断されてステップＳ２６に進む。
【００３１】
ステップＳ２６では、チャンネル番号ｎが奇数に設定されていると共にギャング・モードとされていることから、偶数チャンネル（ｎ＋１）に設定されるゲインＧ（ｎ＋１）は、前回設定されているゲインＧ（ｎ＋１）に、ステップＳ２１で検出された奇数チャンネルｎのゲイン設定操作子（ＧＡＩＮｎ）の操作量GAINVALUE nが加算された値とされる。また、奇数チャンネルｎに設定されるゲインＧｎは、前回設定されているゲインＧｎに、ステップＳ２１で検出された奇数チャンネルｎのゲイン設定操作子（ＧＡＩＮｎ）の操作量GAINVALUE nが加算された値とされる。このように、チャンネル番号ｎが奇数に設定されていると共にギャング・モードとされている場合は、奇数チャンネルｎのゲイン設定操作子（ＧＡＩＮｎ）の操作量が、偶数チャンネル（ｎ＋１）のゲイン量Ｇ（ｎ＋１）に足し込まれて、連動して変更されるようになる。ところで、設定されるゲインには最大ゲインＧmaxと最小ゲインＧminとがあり、最大ゲインＧmax以上にも最小ゲインＧmin以下にもゲインを設定することはできない。そこで、ステップＳ２６においては、図９（ａ）に示す演算を行って偶数チャンネルと奇数チャンネルのゲインを算出している。
【００３２】
すなわち、まず奇数チャンネルｎのゲインＧｎと偶数チャンネル（ｎ＋１）のゲインＧ（ｎ＋１）との差Difを、次に示す（１）式から求める。
Dif＝Ｇｎ−Ｇ（ｎ＋１）                    （１）
次いで、次に示す（２）式および（３）式を演算してゲインＧａ、ゲインＧｂを求める。
Ｇａ＝Ｇｎ＋GAINVALUE n                  （２）
Ｇｂ＝Ｇ（ｎ＋１）＋GAINVALUE n          （３）
ただし、GAINVALUE nは奇数チャンネルｎのゲイン設定操作子（ＧＡＩＮｎ）の操作量である。
【００３３】
そして、ゲインＧａ、ゲインＧｂがいずれも最大ゲインＧmax以上でないと共に最小ゲインＧmin以下でもない場合は、ゲインＧａを奇数チャンネルｎのゲインＧｎとして設定し、ゲインＧｂを偶数チャンネル（ｎ＋１）のゲインＧ（ｎ＋１）として設定する。
また、ゲインＧａ、ゲインＧｂのいずれかが最大ゲインＧmax以上となったり、最小ゲインＧmin以下となった場合は、Ｇmin〜Ｇmaxの範囲を逸脱した方、あるいは共に逸脱している場合は大きく逸脱した方のゲインを逸脱しないようにＧminあるいはＧmaxにリミットする。そして、リミットしたゲインと残るゲインとの差がDifになるように残るゲインを設定する。すなわち、次に示す（４）式が成立するようにする。
Ｇａ−Ｇｂ＝Dif                          （４）
具体的に例を挙げて説明すると、ゲインＧａが最大ゲインＧmax以上となったとする。この場合は、Ｇａ＝ＧmaxとしてゲインＧａをＧmaxにリミットする。そして、ゲインＧｂを、Ｇｂ＝Ｇmax−Difとして算出する。このように、一方のゲインがリミットされても奇数チャンネルｎと偶数チャンネル（ｎ＋１）とのゲイン差は保持するようにする。
【００３４】
ステップＳ２６の処理が終了すると、図８に示すステップＳ４４に進み、チャンネル番号ｎが最大チャンネル番号（MAXCH）になったか否かが判断される。１回目の処理が実行されている場合は、チャンネル１とされているのでＮＯと判断されてステップＳ４５に分岐し、チャンネル番号が１だけインクリメントされて、チャンネル２とされる。そして、ステップＳ２１に戻るようになる。この場合のステップＳ２１以降の処理の説明は後述する。
【００３５】
また、ステップＳ２５にてペアｍのギャング・フラグ（GANGFLG m）が“０”に設定されており、ペアｍにおいてゲイン設定モードとしてギャング・モードが設定されていないと判断された場合は、ステップＳ２７に分岐する。ステップＳ２７では、ペアｍのリンク・フラグ（LINKFLG m）が“１”に設定されているか否かが判断される。ここで、ペアｍにおいてゲイン設定モードとしてリンク・モードが設定されていると、ＹＥＳと判断されてステップＳ２８に進む。ステップＳ２８では奇数チャンネルｎのペアフラグ（PAIRFLG n）が“１”とされているか判断され、ペアフラグ（PAIRFLG n）が“１”と判断された場合は、ステップＳ２９に進む。
【００３６】
この場合は、ペアリングされたチャンネルのうち連動させるチャンネルが偶数チャンネル（ｎ＋１）とされている場合であり、ステップＳ２９では、奇数チャンネルｎに設定されるゲインＧｎが、前回設定されているゲインＧｎに、ステップＳ２１で検出された奇数チャンネルｎのゲイン設定操作子（ＧＡＩＮｎ）の操作量GAINVALUE nが加算された値とされる。次いで、ステップＳ３０に進んで、リンク・モードとされていることから奇数チャンネルｎとペアリングされている偶数チャンネル（ｎ＋１）のゲインＧ（ｎ＋１）として、奇数チャンネルｎのゲインＧｎが設定される。すなわち、リンク・モードが設定されており奇数チャンネルｎのペアフラグ（PAIRFLG n）が“１”とされている場合は、奇数チャンネルｎのゲインＧｎに偶数チャンネル（ｎ＋１）のゲインＧ（ｎ＋１）が連動して同値となるように変更される。
【００３７】
さらに、ステップＳ２８において奇数チャンネルｎのペアフラグ（PAIRFLG n）が“０”と判断された場合は、ペアリングされている偶数チャンネル（ｎ＋１）のペアフラグ（PAIRFLG n+1）が“１”と判断されて、ステップＳ３１に進む。この場合は、ペアリングされたチャンネルのうち連動させるチャンネルが奇数チャンネルｎとされている場合であり、ステップＳ３１では、偶数チャンネル（ｎ＋１）に設定されるゲインＧ（ｎ＋１）が、前回設定されているゲインＧ（ｎ＋１）に、ステップＳ２１で検出された奇数チャンネルｎのゲイン設定操作子（ＧＡＩＮｎ）の操作量GAINVALUE nが加算された値とされる。次いで、ステップＳ３２に進んで、リンク・モードとされていることから偶数チャンネル（ｎ＋１）とペアリングされている奇数チャンネルｎのゲインＧｎとして、偶数チャンネル（ｎ＋１）のゲインＧ（ｎ＋１）が設定される。すなわち、リンク・モードが設定されており偶数チャンネル（ｎ＋１）のペアフラグ（PAIRFLG n+1）が“１”とされている場合は、偶数チャンネル（ｎ＋１）のゲインＧ（ｎ＋１）に奇数チャンネルｎのゲインＧｎが連動して同値となるように変更される。
【００３８】
なお、ステップＳ２７にてペアｍのリンク・フラグ（LINKFLG m）が“０”に設定されていると判断された場合は、ペアリングされているがギャング・モードにもリンク・モードにも設定されていない場合であり、ステップＳ３３に分岐して、奇数チャンネルｎに設定されるゲインＧｎが、前回設定されているゲインＧｎに、ステップＳ２１で検出された奇数チャンネルｎのゲイン設定操作子（ＧＡＩＮｎ）の操作量GAINVALUE nが加算された値とされる。すなわち、操作したゲイン設定操作子に対応するチャンネルのゲインだけが変更されるようになる。このように、ペアリングされているがギャング・モードおよびリンク・モードを共にオフした場合は、ペアリングされている奇数チャンネルのゲインを独立して調整することができ、チャンネル間のレベル差を吸収補正することができるようになる。なお、偶数チャンネルのゲインも独立して調整することができるが、その説明は後述する。
【００３９】
さらにまた、ステップＳ２４にて、奇数チャンネルｎのペアフラグ（PAIRFLG n）および偶数チャンネル（ｎ＋１）のペアフラグ（PAIRFLG n+1）が共に“０”とされて、ペアリングされていないと判断された場合は、ステップＳ３３に分岐する。ステップＳ３３では、前述したように奇数チャンネルｎに設定されるゲインＧｎが、前回設定されているゲインＧｎに、ステップＳ２１で検出された奇数チャンネルｎのゲイン設定操作子（ＧＡＩＮｎ）の操作量GAINVALUE nが加算された値とされる。すなわち、操作したゲイン設定操作子に対応するチャンネルのゲインだけが変更されるようになる。
【００４０】
ところで、ステップＳ４５からステップＳ２１に処理が戻された際にはチャンネル２についての処理が行われるが、この処理の説明をチャンネルｎが偶数チャンネルとされている場合として以下に行うものとする。
ステップＳ２１にて偶数チャンネルｎのゲイン設定操作子（ＧＡＩＮｎ）の操作イベントおよび操作量が検出され、この検出結果からステップＳ２２にて偶数チャンネルｎのゲイン設定操作子（ＧＡＩＮｎ）が操作されたか否かが判断される。ここで、偶数チャンネルｎのゲイン設定操作子（ＧＡＩＮｎ）が操作されていると、その操作イベントが検出されることからＹＥＳと判断されてステップＳ２３に進む。
【００４１】
ステップＳ２３では、現在のチャンネル番号が奇数か否かが判断されるが、現在のチャンネルは偶数チャンネルとされていることから、図７に示すステップＳ３４に進む。ステップＳ３４では、偶数チャンネルｎに隣接するペアリングされる１つ若いチャンネル番号の奇数チャンネル（ｎ−１）のペアフラグ（PAIRFLG n-1）が“１”とされているか、偶数チャンネルｎのペアフラグ（PAIRFLG n）が“１”とされているかが判定される。ここで、奇数チャンネル（ｎ−１）と偶数チャンネルｎとがペアリングされていると、奇数チャンネル（ｎ−１）のペアフラグ（PAIRFLG n-1）あるいは偶数チャンネルｎのペアフラグ（PAIRFLG n）が“１”とされているから、ＹＥＳと判断されてステップＳ３５に進む。ペアリングされた奇数チャンネル（ｎ−１）と偶数チャンネルｎとのペア番号をｍとすると、ステップＳ３５にてペアｍのギャング・フラグ（GANGFLG m）が“１”に設定されているか否かが判断される。ここで、ペアｍにおいてゲイン設定モードとしてギャング・モードが設定されていると、ＹＥＳと判断されてステップＳ３６に進む。
【００４２】
ステップＳ３６では、チャンネル番号ｎが偶数に設定されていると共にギャング・モードとされていることから、奇数チャンネル（ｎ−１）に設定されるゲインＧ（ｎ−１）は、前回設定されているゲインＧ（ｎ−１）に、ステップＳ２１で検出された偶数チャンネルｎのゲイン設定操作子（ＧＡＩＮｎ）の操作量GAINVALUE nが加算された値とされる。また、偶数チャンネルｎに設定されるゲインＧｎは、前回設定されているゲインＧｎに、ステップＳ２１で検出された偶数チャンネルｎのゲイン設定操作子（ＧＡＩＮｎ）の操作量GAINVALUE nが加算された値とされる。このように、チャンネル番号ｎが偶数に設定されていると共にギャング・モードとされている場合は、偶数チャンネルのゲイン設定操作子（ＧＡＩＮｎ）の操作量が、奇数チャンネル（ｎ−１）のゲイン量Ｇ（ｎ−１）に足し込まれて、連動して変更されるようになる。そして前述したように、設定されるゲインには最大ゲインＧmaxと最小ゲインＧminとがあり、最大ゲインＧmax以上にも最小ゲインＧmin以下にもゲインを設定することはできない。そこで、ステップＳ３６においては、図９（ｂ）に示す演算を行って奇数チャンネルと偶数チャンネルのゲインを算出している。
【００４３】
まず、奇数チャンネル（ｎ−１）のゲインＧ（ｎ−１）と偶数チャンネルｎのゲインＧｎとの差Difを、次に示す（５）式から求める。
Dif＝Ｇ（ｎ−１）−Ｇｎ                    （５）
次いで、次に示す（６）式および（７）式を演算してゲインＧａ、ゲインＧｂを求める。
Ｇａ＝Ｇ（ｎ−１）＋GAINVALUE n          （６）
Ｇｂ＝Ｇｎ＋GAINVALUE n                  （７）
ただし、GAINVALUE nは偶数チャンネルｎのゲイン設定操作子（ＧＡＩＮｎ）の操作量である。
【００４４】
そして、ゲインＧａ、ゲインＧｂがいずれも最大ゲインＧmax以上でないと共に最小ゲインＧmin以下でもない場合は、ゲインＧａを奇数チャンネル（ｎ−１）のゲインＧ（ｎ−１）として設定し、ゲインＧｂを偶数チャンネルｎのゲインＧｎとして設定する。
また、ゲインＧａ、ゲインＧｂのいずれかが最大ゲインＧmax以上となったり、最小ゲインＧmin以下となった場合は、Ｇmin〜Ｇmaxの範囲を逸脱した方、あるいは共に逸脱している場合は大きく逸脱した方のゲインを逸脱しないようにＧminあるいはＧmaxにリミットする。そして、リミットしたゲインと残るゲインとの差がDifになるように残るゲインを設定する。すなわち、次に示す（８）式が成立するようにする。
Ｇａ−Ｇｂ＝Dif                          （８）
具体的に例を挙げて説明すると、ゲインＧａが最大ゲインＧmax以上となったとする。この場合は、Ｇａ＝ＧmaxとしてゲインＧａをＧmaxにリミットする。そして、ゲインＧｂを、Ｇｂ＝Ｇmax−Difとして算出する。このように、一方のゲインがリミットされても奇数チャンネル（ｎ−１）と偶数チャンネルｎとのゲイン差は保持するようにする。
【００４５】
ステップＳ３６の処理が終了すると、ステップＳ４４に進み、チャンネル番号ｎが最大チャンネル番号になったか否かが判断される。ここで、チャンネル番号ｎが最大チャンネル番号の場合は、Head Amp GAIN設定処理は終了されてリターンされる。また、チャンネル番号ｎが最大チャンネル番号に達していない場合は、ステップＳ４５に分岐して、チャンネル番号が１だけインクリメントされて、ステップＳ２１に戻り前述した処理が繰り返されるようになる。
【００４６】
また、ステップＳ３５にてペアｍのギャング・フラグ（GANGFLG m）が“０”に設定されており、ペアｍにおいてゲイン設定モードとしてギャング・モードが設定されていないと判断された場合は、ステップＳ３８に分岐する。ステップＳ３８では、ペアｍのリンク・フラグ（LINKFLG m）が“１”に設定されているか否かが判断される。ここで、ペアｍにおいてゲイン設定モードとしてリンク・モードが設定されていると、ＹＥＳと判断されてステップＳ３９に進む。ステップＳ３９では奇数チャンネル（ｎ−１）のペアフラグ（PAIRFLG n-1）が“１”とされているか判断され、ペアフラグ（PAIRFLG n-1）が“１”と判断された場合は、ステップＳ４０に進む。
【００４７】
この場合は、ペアリングされたチャンネルのうち連動させるチャンネルが偶数チャンネルｎとされている場合であり、ステップＳ４０では、奇数チャンネル（ｎ−１）に設定されるゲインＧ（ｎ−１）が、前回設定されているゲインＧ（ｎ−１）に、ステップＳ２１で検出された偶数チャンネルｎのゲイン設定操作子（ＧＡＩＮｎ）の操作量GAINVALUE nが加算された値とされる。次いで、ステップＳ４１に進んで、リンク・モードとされていることから奇数チャンネル（ｎ−１）とペアリングされている偶数チャンネルｎのゲインＧｎとして、奇数チャンネル（ｎ−１）のゲインＧ（ｎ−１）が設定される。すなわち、リンク・モードが設定されており奇数チャンネル（ｎ−１）のペアフラグ（PAIRFLG n-1）が“１”とされている場合は、奇数チャンネル（ｎ−１）のゲインＧ（ｎ−１）に偶数チャンネルｎのゲインＧｎが連動して同値となるように変更される。
【００４８】
さらに、ステップＳ３９において奇数チャンネル（ｎ−１）のペアフラグ（PAIRFLG n-1）が“０”と判断された場合は、ペアリングされている偶数チャンネルｎのペアフラグ（PAIRFLG n）が“１”と判断されて、ステップＳ４２に進む。この場合は、ペアリングされたチャンネルのうち連動させるチャンネルが奇数チャンネル（ｎ−１）とされている場合であり、ステップＳ４２では、偶数チャンネルｎに設定されるゲインＧｎが、前回設定されているゲインＧｎに、ステップＳ２１で検出された偶数チャンネルｎのゲイン設定操作子（ＧＡＩＮｎ）の操作量GAINVALUE nが加算された値とされる。次いで、ステップＳ４３に進んで、リンク・モードとされていることから偶数チャンネルｎとペアリングされている奇数チャンネル（ｎ−１）のゲインＧ（ｎ−１）として、偶数チャンネルｎのゲインＧｎが設定される。すなわち、リンク・モードが設定されており偶数チャンネルｎのペアフラグ（PAIRFLG n）が“１”とされている場合は、偶数チャンネルｎのゲインＧｎに奇数チャンネル（ｎ−１）のゲインＧ（ｎ−１）が連動して同値となるように変更される。
【００４９】
なお、ステップＳ３８にてペアｍのリンク・フラグ（LINKFLG m）が“０”に設定されていると判断された場合は、ペアリングされているがギャング・モードにもリンク・モードにも設定されていない場合であり、ステップＳ３７に分岐して、偶数チャンネルｎに設定されるゲインＧｎが、前回設定されているゲインＧｎに、ステップＳ２１で検出された偶数チャンネルｎのゲイン設定操作子（ＧＡＩＮｎ）の操作量GAINVALUE nが加算された値とされる。すなわち、操作したゲイン設定操作子に対応する偶数チャンネルのゲインだけが変更されるようになる。このように、ペアリングされているがギャング・モードおよびリンク・モードを共にオフした場合は、ペアリングされている奇数チャンネルおよび偶数チャンネルのゲインをステップＳ３３あるいはステップＳ３７において、それぞれ独立して調整することができ、チャンネル間のレベル差を吸収補正することができるようになる。
【００５０】
さらにまた、ステップＳ３４にて、奇数チャンネル（ｎ−１）のペアフラグ（PAIRFLG n-1）および偶数チャンネルｎのペアフラグ（PAIRFLG n）が共に“０”とされて、ペアリングされていないと判断された場合は、ステップＳ３７に分岐する。ステップＳ３７では、前述したように偶数チャンネルｎに設定されるゲインＧｎが、前回設定されているゲインＧｎに、ステップＳ２１で検出された偶数チャンネルｎのゲイン設定操作子（ＧＡＩＮｎ）の操作量GAINVALUE nが加算された値とされる。すなわち、操作したゲイン設定操作子に対応するチャンネルのゲインだけが変更されるようになる。
【００５１】
さらにまた、ステップＳ２２にてゲイン設定操作子（ＧＡＩＮｎ）が操作されていないと判断された場合は、ステップＳ４４に進み上述したようにチャンネル番号ｎが最大チャンネル番号になったか否かが判断される。ここで、チャンネル番号ｎが最大チャンネル番号になっている場合は、最後のチャンネルまでの処理が終了したことになるので、Head Amp GAIN設定処理は終了してリターンされる。また、チャンネル番号ｎが最大チャンネル番号になっていない場合は、ステップＳ４５に分岐し、チャンネル番号が１だけインクリメントされて、ステップＳ２１に戻り上述した処理が繰り返し実行されるようになる。
【００５２】
なお、ペアリングするチャンネルは２チャンネルとしたが、本発明はこれに限るものではなく３チャンネル以上をグループとして連動制御するようにしてもよい。
また、リンク・モードに設定された際に連動制御されるチャンネルのヘッドアンプの設定値が異なっている場合に、一方の設定値に他方の設定値を同値化すると、クリックノイズや出力レベルの急変による障害が発生するおそれがある場合は、補間等により一方の設定値に他方の設定値を徐々に変化させて同値とするのが好適である。この場合に、設定値が揃うまではそのチャンネルの出力を一時的にミュートするようにしてもよい。
【００５３】
なお、上記の説明においては、ロータリーエンコーダのような回転型の操作子によって対応する各チャンネルのヘッドアンプゲインＧｎを連続的に変化・設定できるようにすると共に、リンク・モード時は関係づけられたチャンネル間で同値になるよう連動するようにしていた。本発明はこれに限るものではなく、各チャンネルにさらに複数の押しボタンスイッチ等を設け、各々に任意の値を割当記憶し、それをスイッチ操作で読み出すことによりヘッドアンプゲインＧｎを設定できるようにしてもよい。この際に、リンク・モードとされていた場合は、その割当記憶値が連動して読み出されるようにしてもよい。典型的な例を上げて説明すると、各チャンネルｎにヘッドアンプゲインＧｎを設定するための回転型操作子ＧＡＩＮｎに加えて、２個の押しボタンスイッチＰＳＷＡｎ，ＰＳＷＢｎを設けて、それぞれの押しボタンスイッチＰＳＷＡｎ，ＰＳＷＢｎに回転型操作子ＧＡＩＮｎで設定した任意の設定値ＧＡｎ，ＧＢｎを割当可能とする。そして、押しボタンスイッチＰＳＷＡｎを押下したときにヘッドアンプゲインＧｎが設定値ＧＡｎに、押しボタンスイッチＰＳＷＢｎを押下したときにヘッドアンプゲインＧｎが設定値ＧＢｎになるように、設定値ＧＡｎ，ＧＢｎのいずれかの値を選択して設定できるようにする。
【００５４】
ここで、チャンネルｎとチャンネル（ｎ＋１）をペア・モードかつリンク・モードとした場合は、押しボタンスイッチＰＳＷＡｎまたは押しボタンスイッチＰＳＷＡ（ｎ＋１）のいずれかが押下された際に、ヘッドアンプゲインＧｎが設定値ＧＡｎに設定され、ヘッドアンプゲインＧ（ｎ＋１）が設定値ＧＡ（ｎ＋１）に設定されるものとされている。一方、押しボタンスイッチＰＳＷＢｎまたは押しボタンスイッチＰＳＷＢ（ｎ＋１）のいずれかが押下された際は、ヘッドアンプゲインＧｎが設定値ＧＢｎに設定されると共に、ヘッドアンプゲインＧ（ｎ＋１）が設定値ＧＢ（ｎ＋１）に設定されるものとされている。このように、リンク・モードに設定されていても設定値ＧＡｎ，ＧＡ（ｎ＋１）および設定値ＧＢｎ，ＧＢ（ｎ＋１）は、それぞれ設定値が同値になるように連動はせず、割り当てられた記憶値が連動して読み出されるようになされている。
【００５５】
【発明の効果】
本発明は以上のように構成されているので、連動させるよう設定されたチャンネルにおいて、１つのチャンネルのパラメータを操作した際に、他のチャンネルのパラメータが連動して変化するようになる。これにより、１つのチャンネルのパラメータ値を変化させることにより、他の連動すべきチャンネルのパラメータ値が同様に変化するよう連動制御されるようになる。したがって、１つのチャンネルのパラメータ値を変化させるだけで、連動させるよう設定されたチャンネルのパラメータを精密な設定精度を保持して容易に設定することができるようになる。
また、連動制御は、チャンネル間のパラメータ値の差分を保持して連動制御する手段と、チャンネル間のパラメータ値が同値になるよう連動制御する手段とのいずれかの手段を選択することができるので、種々のモードの連動制御を行うことができる。さらに、連動制御する際に入力信号系列に不所望のパラメータ間の差があった場合には、各入力信号系列を独立して設定することができ、レベル等のパラメータをそろえた上で連動制御することができるようになる。
【図面の簡単な説明】
【図１】  本発明のディジタル・ミキサーの実施の形態の概略構成を示すブロック図である。
【図２】  本発明の実施の形態にかかるディジタル・ミキサーのハードウェア構成を示す図である。
【図３】  本発明の実施の形態にかかるコンソール部に備えられている各チャンネルの操作を行う表示器を備える操作子群の一例を示す図である。
【図４】  本発明の実施の形態にかかるコンソール部において実行されるペアリング設定処理のフローチャートである。
【図５】  本発明の実施の形態にかかるコンソール部で実行されるゲイン設定モードを選択するＭＯＤＥ選択設定処理のフローチャートである。
【図６】  本発明の実施の形態にかかるHead Amp GAIN設定処理における一部のフローチャートである。
【図７】  本発明の実施の形態にかかるHead Amp GAIN設定処理における一部のフローチャートである。
【図８】  本発明の実施の形態にかかるHead Amp GAIN設定処理における残る一部のフローチャートである。
【図９】  本発明の実施の形態にかかるHead Amp GAIN設定処理の一部の処理を詳細に示す図である。
【符号の説明】
１  入力部、２  処理部、３  コンソール部、３  出力部、４  コンソール部、１１  ＡＤＣ、２１  信号処理部、３１  ＤＡＣ、４１  ゲイン制御部、４２  ゲイン設定操作子、４３  ゲイン設定モード選択操作子、４４  ｃｈペア設定操作子、５１  Ｉ／Ｆ、５２  DSP SYSTEM、５３  MEMORY SYSTEM、５４  ＣＰＵ、５５  MEMORY SYSTEM、５６  Ｉ／Ｆ、５７  バス、６１  Ｉ／Ｆ、６２  パネル部、６３  操作子群、６４  表示器群、６５  MEMORY SYSTEM、６６  ＣＰＵ、６７  バス、７１  ゲイン表示器、７２  ゲイン設定操作子、７３  ギャング・モード設定操作子、７４  リンク・モード設定操作子、７５  ｃｈペア設定操作子、７６  フェーダ、ＨＡ１〜ＨＡｉ  ヘッドアンプ、ＩＮ１〜ＩＮｉ  入力端子、ＯＵＴ１〜ＯＵＴｊ  出力端子
【図１】
0003669264.tif 000002
【図２】
0003669264.tif 000003
【図３】
0003669264.tif 000004
【図４】
0003669264.tif 000005
【図５】
0003669264.tif 000006
【図６】
0003669264.tif 000007
【図７】
0003669264.tif 000008
【図８】
0003669264.tif 000009
【図９】
0003669264.tif 000010